(57)【要約】【課題】パネル取り付けの際の端子台への電線の接続の作業性を改善したＤＩＮレール取り付け兼用の制御機器を提供する。【解決手段】プリント配線板を収容する略直方体形状のケース１１と、ケースの前面側に設けられた前面パネル部１２と、取り付け用パネルに形成された開口部から前面パネル部１２が露出するようにケース１１を取り付け用パネルに固定することを可能とするパネル取り付け手段と、ケース１１の背面側を取り付け用レールに固定することを可能とするレール係合部１４と、プリント配線板に実装され、かつ、電線を接続するための複数の端子がケース１１の背面側周辺部から露出するように設けられた端子台１３とを備え、端子台１３の複数の端子のそれぞれが、前面側から操作可能な第１の電線固定部材１３ｂと背面側から操作可能な第２の電線固定部材１３ａとを備えている。【選択図】図１
2006032238.tif 000002
【特許請求の範囲】
【請求項１】
電子回路部品が実装されたプリント配線板を収容する略直方体形状のケースと、
前記ケースの前面側に設けられた表示部及び操作部の少なくとも一方を含む前面パネル部と、
取り付け用パネルに形成された開口部から前記前面パネル部が露出するように前記ケースを前記取り付け用パネルに固定することを可能とするパネル取り付け手段と、
前記ケースの背面側を取り付け用レールに固定することを可能とする前記ケースの背面側に設けられたレール係合部と、
前記プリント配線板に実装され、かつ、電線を接続するための複数の端子が前記ケースの背面側周辺部から露出するように設けられた端子台とを備え、
前記端子台の複数の端子のそれぞれが、前面側から操作可能な第１の電線固定部材と背面側から操作可能な第２の電線固定部材とを備えていることを特徴とする制御機器。
【請求項２】
前記端子台は一列に配列された複数の端子を備え、各端子は前記プリント配線板に接続される中央ピン部と、この中央ピン部から二股状に分かれた互いに平行な第１及び第２の接触面と、前記第１及び第２の接触面にそれぞれ設けられた螺子孔に螺合する第１及び第２の締付螺子とを備え、前記第１の接触面及び前記第１の締付螺子が前記第１の電線固定部材を構成すると共に前記第２の接触面及び前記第２の締付螺子が前記第２の電線固定部材を構成し、前記端子台が実装されたプリント配線板が前記ケースに収容された状態で、前記第１の締付螺子が前面側から回転可能であると共に前記第２の締付螺子が背面側から回転可能であることを特徴とする
請求項１記載の制御機器。
【請求項３】
前面側に鍔部を有し、前記取り付け用パネルの開口部に前面側から挿入されると共に、前記取り付け用パネルの背面側に位置する前記ケースに外嵌するように装着可能な前面枠部材を更に備え、
前記ケースの側部に取り付けられる押さえ部材と前記前面枠部材とが前記パネル取り付け手段を構成し、前記前面枠部材の鍔部と前記押さえ部材との間に前記取り付け用パネルの開口部の周辺部分を挟むようにして前記ケースが前記取り付け用パネルに固定されることを特徴とする
請求項１又は２記載の制御機器。
【請求項４】
背面側端部に前記端子台が実装された一対のプリント基板が前記ケース内に収容され、前記ケースの背面側の対向する２面に一対の前記端子台が配置され、前記一対の端子台の間に前記レール係合部が配置されていることを特徴とする
請求項１、２又は３記載の制御機器。
【請求項５】
前記レール係合部を構成する部材の少なくとも一部がケースの背面に対して着脱自在であることを特徴とする
請求項４記載の制御機器。
【発明の詳細な説明】
【技術分野】
【０００１】
本発明は、ＤＩＮレールへの取り付けとパネルへの取り付けが選択的に可能である取り付け構造及び配線接続構造を有する制御機器に関する。
【背景技術】
【０００２】
通常、ＰＬＣ（Ｐｒｏｇｒａｍａｂｌｅ  Ｌｏｇｉｃ  Ｃｏｎｔｒｏｌｌｅｒ）や各種センサー装置のような制御機器は、その用途に応じてＤＩＮレール取り付けタイプとパネル取り付けタイプに大別される。ＤＩＮレールは標準規格の取り付け用レールであり、例えば制御盤ボックスの中に複数の制御機器を並べて取り付ける場合に使用される。ＤＩＮレール取り付けタイプの制御機器は、その背面側にＤＩＮレールと係合するレール係合部を備えている。ＤＩＮレール取り付けタイプの制御機器は、一般に表示部や操作部を有しておらず、制御盤ボックスの中に収容されることが多い。
【０００３】
他方、パネル取り付けタイプの制御機器は表示部や操作部を有しており、例えば制御盤ボックスの扉パネルに取り付けられることが多い。つまり、扉パネルに形成された開口部から表示部や操作部を含む前面パネル部が露出するようにして取り付けられる。扉パネル等の取り付け用パネルに形成される開口部の寸法についても、いくつかの寸法が規格によって決められている。パネル取り付けタイプの制御機器には、前面パネル部が露出するように取り付け用パネルの開口部に固定するためのパネル取り付け手段が備えられている。
【０００４】
近年、例えば特許文献１に記載されているように、レール係合部とパネル取り付け手段の両方を備え、ＤＩＮレールへの取り付けとパネルへの取り付けが選択的に可能な制御機器が開発されている。これは、ほとんどの制御機器が表示部や操作部を備えるようになってきた現状に即して開発されたものであり、いわばＤＩＮレール取り付けとパネル取り付けの両用タイプである。この両用タイプが１台あれば、ＤＩＮレール取り付けタイプとパネル取り付けタイプの両方を個別に準備する必要が無いので、製造者、販売者及びユーザーは管理コスト等を軽減することができる。また、このような両用タイプの制御機器は、ＤＩＮレールへの取り付けとパネルへの取り付けを相互に変更することができるので、例えば工場設備のレイアウト変更に対応しやすくなる。
【特許文献１】特開２００４−１３４４８号公報
【発明の開示】
【発明が解決しようとする課題】
【０００５】
しかしながら、特許文献１に記載された従来の制御機器は、パネルへの取り付けに際して以下のような制約がある。第１に、パネルに形成された開口部に制御機器を挿入するためには、前面パネル部を含むケース本体とその背面に装着された端子台部品とを固定している４本の固定螺子を緩めてケース本体から端子台部品を一旦分離する必要がある。そして、ケース本体をパネルの開口部に表側から挿入して一段大きくなった前面パネル部をパネルに固定した後に、ケース本体の背面に端子台部品を合体し、４本の固定螺子で固定する。
【０００６】
第２に、端子台部品に備えられた端子台の各端子は、前面側から回転操作可能な締付け螺子を有する。このため、制御機器の背面側をＤＩＮレールへ取り付ける場合は、取り付けた後に電線を端子台の各端子に接続することが容易であるが、制御機器をパネルへ取り付ける場合は、上記のようにして端子台部品をケース本体に合体させた後では電線を端子台の各端子に接続する作業が非常に困難である。したがって、先に電線を端子台の各端子に接続し、その後に端子台部品をケース本体に合体させる必要がある。また、端子に接続された電線を取り外したり接続先を変更する場合は、端子台部品をケース本体から一旦取り外す必要がある。この場合に、誤結線を引き起こすおそれがある。
【０００７】
上記のように、特許文献１に記載された制御機器は、ＤＩＮレールへ取り付ける場合に比べて、パネルへの取り付けには手間がかかり、作業性が良くないので、その改善が求められていた。
【０００８】
本発明は、上記のような従来の制御機器の課題に鑑み、パネル取り付けの際の端子台への電線の接続の作業性を改善したＤＩＮレール取り付け兼用の制御機器を提供することを目的とする。
【課題を解決するための手段】
【０００９】
本発明による制御機器の第１の構成は、電子回路部品が実装されたプリント配線板を収容する略直方体形状のケースと、ケースの前面側に設けられた表示部及び操作部の少なくとも一方を含む前面パネル部と、取り付け用パネルに形成された開口部から前面パネル部が露出するようにケースを取り付け用パネルに固定することを可能とするパネル取り付け手段と、ケースの背面側を取り付け用レールに固定することを可能とするケースの背面側に設けられたレール係合部と、プリント配線板に実装され、かつ、電線を接続するための複数の端子がケースの背面側周辺部から露出するように設けられた端子台とを備え、端子台の複数の端子のそれぞれが、前面側から操作可能な第１の電線固定部材と背面側から操作可能な第２の電線固定部材とを備えていることを特徴とする。
【００１０】
このような構成によれば、制御機器を取り付け用レール（ＤＩＮレール）に取り付ける場合は第１の電線固定部材を前面側から操作して電線を端子台に接続すると共に、制御機器をパネルに取り付ける場合は第２の電線固定部材を背面側から操作して電線を端子台に接続することができる。したがって、従来の制御機器のように先に電線を接続した端子台部品をパネルに取り付けたケースに合体させるような手順を踏むことなく、制御機器全体をパネルに取り付けた後に電線を接続する作業を難なく行うことができる。また、制御機器全体がパネルに取り付けられたままの状態で、電線の取り外しや接続先の変更を随意に行うことができ、誤結線が発生するおそれが少なくなる。
【００１１】
本発明による制御機器の第２の構成は、上記第１の構成の具体的な実施形態を特定するものであり、端子台は一列に配列された複数の端子を備え、各端子はプリント配線板に接続される中央ピン部と、この中央ピン部から二股状に分かれた互いに平行な第１及び第２の接触面と、第１及び第２の接触面にそれぞれ設けられた螺子孔に螺合する第１及び第２の締付螺子とを備え、第１の接触面及び第１の締付螺子が第１の電線固定部材を構成すると共に第２の接触面及び第２の締付螺子が第２の電線固定部材を構成し、端子台が実装されたプリント配線板がケースに収容された状態で、第１の締付螺子が前面側から回転可能であると共に第２の締付螺子が背面側から回転可能であることを特徴とする。このような構成により、端子台を構成する各端子が前面側から操作可能な第１の電線固定部材と背面側から操作可能な第２の電線固定部材とを有する構造を提供し、上記のような作用効果を得ることができる。
【００１２】
本発明による制御機器の第３の構成は、上記第１又は第２の構成において、前面側に鍔部を有し、取り付け用パネルの開口部に前面側から挿入されると共に、取り付け用パネルの背面側に位置するケースに外嵌するように装着可能な前面枠部材を更に備え、ケースの側部に取り付けられる押さえ部材と前面枠部材とがパネル取り付け手段を構成し、前面枠部材の鍔部と押さえ部材との間に取り付け用パネルの開口部の周辺部分を挟むようにしてケースが取り付け用パネルに固定されることを特徴とする。
【００１３】
このような構成によれば、パネル取り付けに際して、従来の制御機器のように複数の固定螺子を緩めてケース本体と前面パネル部とを一旦分離し、取り付け対象のパネルの開口部に一方を挿入してから両者を再び合体して固定螺子で締付けるといった面倒な作業を行う必要が無くなる。すなわち、前面側から挿入された前面枠部材にケースを嵌め込むだけでよく、パネル取り付けの作業性が従来の制御機器に比べて大幅に改善される。なお、ケースの側部に取り付けられる押さえ部材を用いて制御機器（ケース）をパネルに固定する方法は従来の制御機器と同様である。
【００１４】
本発明による制御機器の第４の構成は、上記いずれかの構成において、背面側端部に端子台が実装された一対のプリント基板がケース内に収容され、ケースの背面側の対向する２面に一対の端子台が配置され、一対の端子台の間にレール係合部が配置されていることを特徴とする
【００１５】
このような構成によれば、制御機器の内部スペース及び背面スペースを有効に活用しながら、プリント基板に直付けされる端子台に最大限の数の端子を備えさせることができる。もちろん、端子台の各端子には、第１の構成で述べたように、前面側から操作可能な第１の電線固定部材と背面側から操作可能な第２の電線固定部材とが備えられる。
【００１６】
本発明による制御機器の第５の構成は、上記第４の構成において、レール係合部を構成する部材の少なくとも一部がケースの背面に対して着脱自在であることを特徴とする。このような構成によれば、レール係合部の一部（突出部）が一対の端子台のうちの一方又は両方に被さり、一部の端子の第２の電線固定部材の操作（背面からの操作）を妨げるような場合に、レール係合部を構成する部材の少なくとも一部を取り外すことによって、そのような状態を解消し、すべての端子の背面側からの操作による電線の接続又は取り外しを可能とすることができる。背面側からの操作による電線の接続又は取り外しを行うパネル取り付けに際してレール係合部の機能は不要であるから、その一部又は全部の構成部材を取り外しても問題は無い。
【発明を実施するための最良の形態】
【００１７】
以下、図面を参照しながら本発明の実施例について説明する。
【００１８】
図１は、本発明の実施例に係る制御機器の外観を示す斜視図である。（ａ）は前面側から見た斜視図であり、（ｂ）は背面側から見た斜視図である。この制御機器は、電子回路部品が実装されたプリント配線板（後述する）を収容する略直方体形状のケース１１と、その前面側に設けられた表示部１２ａ及び操作部１２ｂを含む前面パネル部１２とを有する。図示の例では、表示部１２ａには４桁の７セグメント表示器が２段に設けられ、操作部１２ｂには４個の押釦スイッチが設けられている。
【００１９】
ケース１１の背面側の周辺部（図示の例では上下の辺）には、電線を接続するための複数の端子を有する一対の端子台１３が設けられている。これらの端子台１３は、後述するように、ケース１１に収容された２枚のプリント配線板の端部にそれぞれ実装されている。また、端子台１３の各端子は、前面側と背面側の両方に電線を接続するための電線固定部材（締付螺子１３ａ、１３ｂ等）を備えている。この特徴的な構造については後で詳しく述べる。
【００２０】
制御機器を（ケース１１の背面側を）ＤＩＮレールに固定するためのレール係合部１４が、ケース１１の背面の一対の端子台１３の間に設けられている。レール係合部１４は、ケース１１の背面側に形成されたＤＩＮレールを受け入れるための凹部１４０と、その上下に取り付けられた一対の固定具１４１及び１４２を備えている。レール係合部１４の基本的な構造は従来の制御機器に備えられているものと同様であるが、一部の構成部材がケース１１の背面に対して着脱自在である点が特徴的である。
【００２１】
図２は、制御機器のケースの背面側をＤＩＮレールに固定した状態を示す図である。図２（ａ）は制御機器の背面側から見たＤＩＮレール及びレール係合部を示し、図２（ｂ）はＤＩＮレールの断面を示している。また、図３は、ケースの一部である背面部材等の分解斜視図である。図１（ｂ）から分かるように、制御機器を構成するケース１１の背面側には別体の背面部材１１ａが結合されており、前述のレール係合部１４を構成する凹部１４０は背面部材１１ａに形成され、固定具１４１及び１４２は背面部材１１ａに固定されている。また、背面部材１１ａの上下（図２の位置関係で）の切り欠き部分、すなわち左右の壁面部材１１ａＬ及び１１ａＲで挟まれた空間に一対の端子台１３が収容される。
【００２２】
ＤＩＮレール１５は、制御機器の取り付けのために規格化された金属製のレールであり、図２（ｂ）に示すような断面形状を有する。また、図２（ａ）に示すように、ＤＩＮレール１５の長手方向に沿って所定ピッチで、幅方向中央部に長孔１５ａが設けられている。この長孔１５ａを用いて、制御ボックスの内壁等の壁面１６にＤＩＮレール１５を螺子止め等によって固定することができる。ＤＩＮレール１５の幅方向両端部の段が形成された部分をレール係合部１４の凹部１４０が受け入れると共に、固定具１４１及び１４２がＤＩＮレール１５を幅方向に挟持することにより、制御機器の背面側（ケース１１の背面側）がＤＩＮレール１５に固定される。
【００２３】
なお、図２（ａ）に示すように、固定具１４１だけでなく、その左右両側の凹部１４０からオーバーハング状に形成された保持部１４０ａもＤＩＮレール１５の上側端部を保持している。また、下側の固定具１４２は、一対の支持部材１４３によって左右から挟持されるように保持され、上下方向に摺動可能で、かつ、上方に付勢されるように取り付けられている。
【００２４】
図３に示すように、一対の支持部材１４３は、それぞれ２本の固定螺子１４４で制御機器の背面に固定されている。固定螺子１４４を外すことにより、一対の支持部材１４３及び固定具１４２をケース１１の背面（背面部材１１ａ）から取り外すことができる。制御機器をＤＩＮレール１５に取り付けるのではなく、後述のようにパネル（例えば制御ボックスの扉パネル）に取り付ける場合は、レール係合部１４を構成する固定具１４２等は不要である。
【００２５】
一方、図２に示すように、固定具１４２が背面部材１１ａに取り付けられた状態では、その把持用端部１４２ａが下側の端子台１３を構成する７個の端子のうちの中央の３個に被さっており、これら３個の端子の背面側締付螺子１３ａをドライバーで回転操作することができない。そこで、制御機器をパネルに取り付ける場合は、上述のように固定具１４２等を背面部材１１ａから取り外すことによって、端子台１３を構成するすべての端子の背面側締付螺子１３ａが回転操作可能になる。なお、制御機器をＤＩＮレール１５に取り付ける場合は、端子台１３を構成する各端子の前面側締付螺子１３ｂ（図１参照）を使用して電線を各端子に接続することができるので、背面側締付螺子１３ａが使用できなくても問題ない。
【００２６】
図４は、本発明の実施例に係る制御機器をパネルに取り付ける様子を示す斜視図である。また、図５は、制御機器をパネルに取り付けた状態を示す側面図及び断面図である。図５（ａ）は側面図であり、図５（ｂ）は図５（ａ）のＢ−Ｂ線に沿う断面図である。図４において、パネルＰＡは透明体として描かれているが、実際には制御ボックスの扉パネルのような金属製のパネルである。このパネルＰＡには、制御機器を取り付けるための矩形の開口部ＯＰが形成されている。
【００２７】
本実施例の制御機器は、図４に示すように、パネルＰＡの開口部ＯＰに前面側から挿入されると共に、パネルＰＡの背面側に位置するケース１１に外嵌するように装着可能な前面枠部材２１を備えている。前面枠部材２１の前面側には鍔部２１１が設けられ、その外径はパネルＰＡの開口部ＯＰより一回り大きくなっている。したがって、前面枠部材２１をパネルＰＡの開口部ＯＰに前面側から挿入したときに、その鍔部２１１がパネルＰＡの開口部ＯＰの周辺部分に当接する。
【００２８】
図４から分かるように、ケース１１の上下左右の側面の前面側部分は、前面枠部材２１が外嵌するように一段低くなっている。また、この部分の左右側面には、縦長溝形状の係合凹部１１１が形成され、これに係合する縦長条形状の係合凸部２１２が前面枠部材２１の内壁に設けられている。ケース１１の前面側部分に前面枠部材２１を外嵌させたときに、左右一対の係合凹部１１１と係合凸部２１２とが係合することによって両者が仮固定される。
【００２９】
また、ケース１１の左右側面には、前後方向に離間して配設された一対の角孔１１２及び１１３が設けられている。前面枠部材２１の左右側面にも角孔２１３が一つずつ設けられている。ケース１１の前面側部分に前面枠部材２１が外嵌固定されたときに、前面枠部材２１の角孔２１３がケース１１の左右側面の前面側の角孔１１３に重なるようになっている。これらの角孔１１２、１１３、２１３を用いて、ケース１１の左右の側面に一対の押さえ部材２２が装着される。押さえ部材２２は、前面枠部材２１と共に、ケース１１（制御機器）をパネルＰＡに固定するためのパネル取り付け手段を構成する。
【００３０】
図５（ｂ）によく示されているように、押さえ部材２２は、先端に押圧部２２１ａが備えられた螺子ロッド２２１と、これに螺合する螺子孔が形成された一対の支持部を有するブラケット２２２からなる。ブラケット２２２は、板金の折り曲げ加工によって作られた細長い形状を有し、長手方向両端部が略直角に折り曲げられて螺子孔が形成された一対の支持部となっている。これに螺合支持される螺子ロッド２２１は、回転操作によってブラケット２２２の長手方向に前進又は後退する。また、ブラケット２２２の側面には、長手方向に離間するように一対の切り起こし係合部２２２ａ及び２２２ｂが形成されており、これらを上記の角孔１１２、１１３、２１３に係合させることによってブラケット２２２（押さえ部材２２）がケース１１の左右の側面に装着される。
【００３１】
図４及び図５から分かるように、背面側の切り起こし係合部２２２ａはケース１１の背面側の角孔１１２に係合し、前面側の切り起こし係合部２２２ｂはケース１１の前面側の角孔１１３及び前面枠部材２１の角孔２１３に係合する。重なり合ったケース１１の前面側の角孔１１３と前面枠部材２１の角孔２１３に押さえ部材２２のブラケット２２２の前面側の切り起こし係合部２２２ａが挿入されて係合することにより、ケース１１と前面枠部材２１との結合状態が確実になる。なお、制御機器の前面側から見て右側の押さえ部材２２はケース１１の上下方向中央より上側にオフセットした位置に装着され、逆に左側の押さえ部材２２は上下方向中央より下側にオフセットした位置に装着されている（図４における角孔２１３の位置を参照）。
【００３２】
図６は、ドライバーを用いて本実施例の制御機器をパネルに取り付ける様子を示す側面図である。この図に示すように、ドライバーＤＲを用いて押さえ部材２２の螺子ロッド２２１をブラケット２２２に対して回転し前進させることにより、螺子ロッド２２１の先端の押圧部２２１ａと前面枠部材２１の鍔部２１１との間でパネルＰＡの開口部ＯＰの周辺部分を挟みこむようにして制御機器（ケース１１）がパネルＰＡに固定される。図５（ｂ）の断面図にこの固定状態がよく示されている。
【００３３】
次に、本実施例の制御機器に特徴的な端子台１３の構造について図７及び図８を参照しながら説明する。図７はケースに内蔵された一対のプリント配線板とそれらの背面側端部に実装された端子台を示す斜視図であり、図７（ａ）は、ケース１１の背面部材１１ａを取り除いた状態を示し、図７（ｂ）は更にケース１１を除いた状態（但し、ケース１１から分離可能な前面パネル部１２は残している）を示している。図８は端子台を示し、図８（ａ）は斜視図、図８（ｂ）は断面図、図８（ｃ）は各端子の構造を示す斜視図である。
【００３４】
図７に示すように、本実施例の制御機器はケース１１の内部に一対のプリント配線板３１が収容されており、それぞれの背面側端部に端子台１３が実装されている。なお、図７は、制御機器の背面側を上に、前面側を下にして描かれている。一対のプリント配線板３１には、端子台１３の他にも各種回路部品が実装されているが、図では省略されている。実装される回路部品は制御機器の種類や機能によって異なる。また、プリント配線板３１の前面側端部には、前面パネル部１２のプリント配線板１２１との電気接続のための基板間コネクタ３１１が実装されている。
【００３５】
端子台１３は、図８に示すように、樹脂成形品である台部材１３１に複数の端子３３が一列に装着された構造を有する。各端子３３は、プリント配線板３１（の半田付けランド）に接続される中央ピン部３３１と、この中央ピン部３３１から二股状に分かれた互いに平行な第１及び第２の接触面３３２とを有する。第１及び第２の接触面３３２には、前面側及び背面側の締付螺子１３ａが螺合する螺子孔が形成され、締付螺子１３ａは、接触板３３３に挿通された後に接触面３３２の螺子孔にねじ込まれる。端子に接続される電線は、接触面３３２と接触板３３３との間に挟みこまれて、締付螺子１３ａによってしっかり固定される。つまり、第１の接触面３３２及び前面側（第１）の締付螺子１３ａ（及び接触板３３３）が前面側（第１）の電線固定部材を構成し、第２の接触面３３２及び背面側（第２）の締付螺子１３ａ（及び接触板３３３）が背面側（第２）の電線固定部材を構成している。
【００３６】
したがって、本実施例の制御機器は、背面側をＤＩＮレール１５に固定して使用する場合は（図１及び図２参照）、前面側の電線固定部材（締付螺子１３ｂ）を使用して電線を各端子に接続し、パネルに取り付けて使用する場合は（図４〜図６参照）、背面側の電線固定部材（締付螺子１３ａ）を使用して電線を各端子に接続することができる。後者の場合は、前述のように、不要なレール係合部１４を構成する部材の一部（固定具１４２等）を取り外すことによって、端子台１３のすべての端子３３が背面側から使用可能となる。
【００３７】
以上、本発明の実施例を説明したが、本発明は上記の実施例に限らず、種々の形態で実施することができる。図示した具体的な形状や構造は必要に応じて変更可能である。
【図面の簡単な説明】
【００３８】
【図１】本発明の実施例に係る制御機器の外観を示す斜視図である。
【図２】制御機器のケースの背面側をＤＩＮレールに固定した状態を示す図である。
【図３】ケースの一部である背面部材等の分解斜視図である。
【図４】本発明の実施例に係る制御機器をパネルに取り付ける様子を示す斜視図である。
【図５】制御機器をパネルに取り付けた状態を示す側面図及び断面図である。
【図６】ドライバーを用いて本実施例の制御機器をパネルに取り付ける様子を示す側面図である。
【図７】ケースに内蔵された一対のプリント配線板とそれらの背面側端部に実装された端子台を示す斜視図である。
【図８】端子台の斜視図及び断面図と各端子の斜視図である。
【符号の説明】
【００３９】
１１  ケース
１２  前面パネル部
１３  端子台
１３ａ，１３ｂ  締付螺子（電線固定部材）
１４  レール係合部
２１  前面枠部材（パネル取り付け手段）
２２  押さえ部材（パネル取り付け手段）
３１  プリント配線板
３２  端子
１４２  固定具（レール係合部を構成する部材）
３３１  中央ピン部
３３２  接触面（電線固定部材）
ＯＰ  開口部
ＰＡ  取り付け用パネル
【図１】
2006032238.tif 000003
【図２】
2006032238.tif 000004
【図３】
2006032238.tif 000005
【図４】
2006032238.tif 000006
【図５】
2006032238.tif 000007
【図６】
2006032238.tif 000008
【図７】
2006032238.tif 000009
【図８】
2006032238.tif 000010